(57)【特許請求の範囲】
【請求項１】
前面が開放され、熱交換器、送風ファン及び同送風ファンを駆動するモータを内壁面に支持したベースと、後面が開放される一方、前面上部から上面にかけて中央支柱により左右に区画された吸込口を形成して前記ベースに装着される前面パネルとで本体を構成し、前記吸込口の前面に左右に分割された右側吸込グリルと左側吸込グリルとを前記本体の両端部に設けられたヒンジにより支承して左右に開閉するように回動自在に設けるとともに、前記吸込口の前面から上面にかけて、上面の吸込口に対応して右側天面グリル及び左側天面グリルとを夫々装着したフィルタを着脱してなる空気調和機において、
前記フィルタを構成する枠体の中央仕切桟に、前後に挿通する係止孔を備えた左右一対の前部係止部を突設し、後部枠両端に係止孔を備えた後部係止部を突設する一方、前記右側天面グリル及び前記左側天面グリルの前縁下面に、前記前部係止部の前記係止孔に係止する前部係止爪を、後縁下端に前記後部係止部の係止孔に係止する後部係止爪を夫々設け、これら係止孔及び係止部により前記右側天面グリル及び前記左側天面グリルとを前記フィルタに装着してなることを特徴とする空気調和機。
【請求項２】
前記フィルタを構成する枠体が軟質の樹脂材から形成され、前記右側天面グリル及び前記左側天面グリルとが硬質の樹脂材から形成されてなることを特徴とする請求項１に記載の空気調和機。
【請求項３】
前記右側吸込グリル及び前記左側吸込グリルの裏面に、前記フィルタの枠体を前面から押圧する押圧片を突設してなることを特徴とする請求項１に記載の空気調和機。
【発明の詳細な説明】
【０００１】
【発明の属する技術分野】
本発明は、空気調和機に係わり、より詳細には本体の上面に天面パネルを装着自在に設けるとともに、同天面パネルに送風ファンモータ等からの振動が伝搬しないようにした構成に関する。
【０００２】
【従来の技術】
従来の技術についても本願と同様に図１及び図２を用いて説明する。図１で示す空気調和機は、前面が開放され熱交換器と送風ファンとを支持したベース１に、後面が開放され前面に格子状の吸込口を形成した前面パネル２を装着するとともに、同前面パネル２の上面にグリル状に形成された右側天面グリル５及び左側天面グリル６とを同前面パネル２に対し装着自在に設けている。また、前面パネル２の両側端にはヒンジ３ａ（図示せず）及びヒンジ４ａが設けられ、同ヒンジ３ａ及びヒンジ４ａにより前面パネル２の前面には、右側吸込グリル３と左側吸込グリル４とが、図２で示すように、左右に拡開するように回動自在に設けられている。また、これら右側吸込グリル３、左側吸込グリル４及び前記右側天面グリル５及び左側天面グリル６との裏面には、枠体と同枠体内に張設された網体とからなるフィルタが前記前面パネル２に対し着脱自在に設けられている。
【０００３】
前記前面パネル２と前記右側天面グリル５及び左側天面グリル６とは、例えばＰＳ（ポリスチレン）材等の硬質の樹脂材からなり、前記フィルタの枠体は例えばＰＰ（ポリプロピレン）材等の軟質の樹脂材から形成されている。
【０００４】
前記右側天面グリル５及び左側天面グリル６は、前記前面パネル２の上面に前後に沿って形成された摺動溝に案内されて同前面パネル２に装着あるいは抜脱されるようになっており、これを円滑に行うため前記摺動溝と前記右側天面グリル５及び左側天面グリル６の両側縁との間には僅かな隙間が設けられている。
【０００５】
このため、前記ベース１上に支持された送風ファンモータの振動が前記前面パネル２から同前面パネル２の摺動溝に遊嵌されている前記右側天面グリル５及び左側天面グリル６に伝搬され、これらが同じ硬質の樹脂材から形成されていることとも相まって前記摺動溝内で振動し、所謂ビビリ音が発生して使用者に対し不快感を与えてしまうというような不具合があった。
【０００６】
【発明が解決しようとする課題】
本発明は上記問題点に鑑み、本体の上面に装着自在に設けられた天面パネルが送風ファンモータの影響から振動しないようにして、所謂ビビリ音の発生を防止した空気調和機を提供することを目的とする。
【０００７】
【課題を解決するための手段】
本発明は上記課題を解決するため、前面が開放され、熱交換器、送風ファン及び同送風ファンを駆動するモータを内壁面に支持したベースと、後面が開放される一方、前面上部から上面にかけて中央支柱により左右に区画された吸込口を形成して前記ベースに装着される前面パネルとで本体を構成し、前記吸込口の前面に左右に分割された右側吸込グリルと左側吸込グリルとを前記本体の両端部に設けられたヒンジにより支承して左右に開閉するように回動自在に設けるとともに、前記吸込口の前面から上面にかけて、上面の吸込口に対応して右側天面グリル及び左側天面グリルとを夫々装着したフィルタを着脱してなる空気調和機において、
前記フィルタを構成する枠体の中央仕切桟に、前後に挿通する係止孔を備えた左右一対の前部係止部を突設し、後部枠両端に係止孔を備えた後部係止部を突設する一方、前記右側天面グリル及び前記左側天面グリルの前縁下面に、前記前部係止部の前記係止孔に係止する前部係止爪を、後縁下端に前記後部係止部の係止孔に係止する後部係止爪を夫々設け、これら係止孔及び係止部により前記右側天面グリル及び前記左側天面グリルとを前記フィルタに装着してなる構成となっている。
【０００８】
また、前記フィルタを構成する枠体が軟質の樹脂材から形成され、前記右側天面グリル及び前記左側天面グリルとが硬質の樹脂材から形成される構成となっている。
【０００９】
また、前記右側吸込グリル及び前記左側吸込グリルの裏面に、前記フィルタの枠体を前面から押圧する押圧片を突設した構成となっている。
【００１０】
【発明の実施の形態】
以下、本発明の実施の形態を、添付図面に基づいた実施例として詳細に説明する。
図１は本発明による空気調和機を示す外観斜視図であり、図２は前面に設けられた吸込グリルを左右に開いた状態を示す外観斜視図である。図３は同空気調和機の断面図であり、図４はフィルタと、同フィルタに装着される天面パネルとを示す分解斜視図である。また図５は吸込グリルの裏面を示す外観斜視図である。
本発明による図１で示す空気調和機は、従来例でも説明したように前面が開放され後述する熱交換器と送風ファン及び同送風ファンを駆動するモータとを支持したベース１に、後面が開放された前面パネル２を装着して本体を構成し、同本体の前面に吸込グリル３及び４を設け、上面に天面グリル５及び６を設けている。前記前面パネル２の前面から上面にかけては、図２で示すように中央支柱２ａにより左右に区画され、区画された右側及び左側に複数の縦桟及び複数の横桟により仕切られた吸込口２ｂが形成される一方、前面から上面にかけて凹状となるフィルタ装着部が前記中央支柱２ａにより左右に分割されて夫々形成されており、同フィルタ装着部には後述するフィルタと、同フィルタに固定された前記天面グリル５及び６とが一体となって装着されるようになっている。また前記フィルタを介して前記吸込口２ｂの前面には、上下に設けられた複数の横桟によるグリル面を形成した右側吸込グリル３と、上下に設けられた複数の横桟によるグリル面を形成した左側吸込グリル４とが、前記前面パネル２の両側端に設けられたヒンジ部３ａ（図示せず）及びヒンジ部４ａにより左右に開閉するように前記前面パネル２に対し回動自在に支持されている。
【００１１】
次に、内部構造について説明する。図３で示すように、前記前面パネル２の前面下部には風向変更板７ａを備えた吹出口７が設けられ、前記吸込口２ｂと前記吹出口７とを結ぶ空気通路には、並設された多数のフィンと、同フィンに直交するように蛇行状に配設された伝熱管とからなり垂直部８ａと、同垂直部８ａの上端を折曲し後方に傾斜させた後方傾斜部８ｂと、同後方傾斜部８ｂの上端を折曲して前方に傾斜させた前方傾斜部８ｃとから構成された熱交換器８が設けられるとともに、その下流側には前記熱交換器８により熱交換された空気を前記吹出口７から室内に送出する送風ファン９が設けられている。
【００１２】
前記前面パネル２の前面から上面にかけて装着されるフィルタ１０と天面グリル５とは図４で示すように構成されている。図４では前記右側吸込グリル３に対応したフィルタ１０と、同フィルタ１０に固定される右側天面グリル５とを示している。前記フィルタ１０は、ポリプロピレン材からなる軟質の樹脂材により形成され複数の仕切桟により内部を区画した枠体１０ａと、同枠体１０ａ内に張設された複数の網体１０ｂとからなり、同網体１０ｂにより塵埃は吸着され吸込まれた空気は清浄化されて前記吹出口７から再び室内に送出されるようになっている。前記枠体１０ａの上下中央に位置する仕切桟には左右一対に、矩形状の係止孔を前後に挿通するように穿設した前部係止部１０ｃが夫々突設され、同様に前記枠体１０ａの後部枠両端には、矩形状の係止孔を前後に挿通するように穿設した後部係止部１０ｄが夫々突設されている。
【００１３】
前記右側天面グリル５は、図４で示すように、ポリスチレン材からなる硬質の樹脂材により形成され、枠体と同枠体内に上下左右に交差した複数の横桟及び縦桟とから構成され、その前縁下面にはＬ字状に折曲され前記フィルタ１０の前記前部係止部１０ｃに対応した前部係止爪５ａが左右一対となって突設され、枠体の後縁下端には、前記後部係止部１０ｄに対応する後部係止爪５ｂが前方に向かい突設されている。
【００１４】
前記前部係止爪５ａを前記前部係止部１０ｃに穿設された係止孔に前方から係止し、前記後部係止爪５ｂを前記後部係止部１０ｄに穿設された係止孔に後方から係止することにより、前記右側天面グリル５は前記フィルタ１０に装着されるようになっている。同右側天面グリル５が前記フィルタ１０に装着された状態で同フィルタ１０は前記前面パネル２のフィルタ装着部に取付けられ、これにより前記右側天面グリル５と前記前面パネル２とは接触しないようになっている。前記左側天面グリル６も同様の状態で前記前面パネル２に装着される。
【００１５】
また、前記右側吸込グリル３の裏面には、図５で示すように、縦長の支柱中央に、前記フィルタ１０の枠体１０ａを押圧する押圧片３ａが設けられており、同押圧片３ａにより前記枠体１０ａの振動を極力低減することにより、更にビビリ音の発生を抑制できるようになっている。
【００１６】
上記したように、前記右側天面グリル５及び右側天面グリル６とが、軟質の樹脂材からなる前記フィルタ１０に固定された状態で前記前面パネル２に装着されることにより、前記ベース１に支持された送風ファン及び同送風ファンを駆動するモータの振動が、前記前面パネル２を介して前記右側天面グリル５及び右側天面グリル６とに伝搬され、これらが振動して所謂ビビリ音を発生させるというような不具合を極力防止することができることとなる。
【００１７】
【発明の効果】
以上説明したように、本発明によると、軟質の樹脂材からなるフィルタの枠体上半面に係止爪により天面グリルを装着し、この状態でフィルタを前面パネルに取付けることにより、送風ファン及び同送風ファンを駆動するモータの振動が天面パネルに伝搬されることを遮り、所謂ビビリ音の発生を防止して、快適な運転を行うことのできる空気調和機となる。
【図面の簡単な説明】
【図１】本発明による空気調和機を示す外観斜視図である。
【図２】吸込グリルを左右に開いた状態を示す外観斜視図である。
【図３】本発明による空気調和機を示す断面図である。
【図４】フィルタと右側天面グリルとを示す分解斜視図である。
【図５】右側吸込グリルの裏面を示す斜視図である。
【符号の説明】
１  ベース
２  前面パネル
２ａ  中央支柱
２ｂ  吸込口
３  右側吸込グリル
３ａ  ヒンジ
３ｂ  押圧片
４  左側吸込グリル
４ａ  ヒンジ
５  右側天面グリル
５ａ  前部係止爪
５ｂ  後部係止爪
６  左側天面グリル
７  吹出口
７ａ  風向変更板
８  熱交換器
８ａ  垂直部
８ｂ  後方傾斜部
８ｃ  前方傾斜部
９  送風ファン
１０  フィルタ
１０ａ  枠体
１０ｂ  網体
１０ｃ  前部係止部
１０ｄ  後部係止部
【図１】
0003807344.tif 000002
【図２】
0003807344.tif 000003
【図３】
0003807344.tif 000004
【図４】
0003807344.tif 000005
【図５】
0003807344.tif 000006